(57)【要約】【課題】  ユーザが音の調整を正確に行えるようにする。【解決手段】  ユーザによって音場補正の調整が行われている場合に、ミュート或いはミュート解除操作がなされたとき、音場補正の調整の内容に基づいてミュート或いはミュート解除すべきチャンネルを特定し、当該チャンネルの再生信号をミュート状態、或いは、ミュート解除状態とする構成とした。【選択図】      図３
2005192016.tif 000002
【特許請求の範囲】
【請求項１】
オーディオソースからのオーディオ信号を再生するオーディオ装置において、
前記オーディオ信号を複数のチャンネルに分割してなる各チャンネルごとに再生信号を生成すると共に、各チャンネルの再生信号に対して音場補正を行うオーディオ信号処理手段と、
前記再生信号のミュート、或いは、ミュート解除を指示するためにユーザによって操作される操作手段と、
前記操作手段の操作に応じて前記再生信号のレベルを所定レベルに減衰させるミュート手段と、
前記オーディオ信号処理手段により音場補正を行うモードが選択されている場合に、前記操作手段が操作されたとき、前記音場補正の調整の内容に基づいて、ミュート、或いは、ミュート解除すべきチャンネルの再生信号を特定し、当該特定された再生信号をミュート状態、或いは、ミュート解除状態とすべく前記ミュート手段を制御する制御手段と
を具備することを特徴とするオーディオ装置。
【請求項２】
前記制御手段は、前記オーディオ信号処理手段において調整対象となっているチャンネルの再生信号である再生信号、或いは、当該チャンネルを除く全チャンネルの再生信号である再生信号をミュート状態、或いは、ミュート解除状態とすべく前記ミュート手段を制御する
ことを特徴とする請求項１に記載のオーディオ装置。
【請求項３】
前記制御手段は、前記音場補正の調整の内容がクロスオーバー周波数の調整である場合、当該クロスオーバー周波数の調整対象となっている帯域に対応するチャンネル、或いは、当該帯域に対応するチャンネルを除く全チャンネルの再生信号をミュート状態、或いは、ミュート解除状態とすべく前記ミュート手段を制御する
ことを特徴とする請求項１または２に記載のオーディオ装置。
【請求項４】
前記オーディオ信号処理手段は、
前記再生音の周波数帯域を複数に分割してなる帯域ごとに、ステレオ再生のためのＬチャンネル及びＲチャンネルの再生信号を生成し、
前記制御手段は、前記音場補正の調整の内容が、いずれかの前記帯域のチャンネルの前記Ｌチャンネル又はＲチャンネルのタイムアライメントの調整である場合、当該タイムアライメントの調整対象となっている帯域のＬチャンネル又はＲチャンネル、或いは、当該帯域のＬチャンネル又はＲチャンネルを除く全チャンネルの再生信号をミュート状態、或いは、ミュート解除状態とすべく前記ミュート手段を制御する
ことを特徴とする請求項１乃至３のいずれかに記載のオーディオ装置。
【請求項５】
前記オーディオ信号処理手段は、前記オーディオ信号に対してイコライズ処理を施す機能を有し、
前記制御手段は、前記音場補正の調整の内容が、前記イコライズ機能の調整である場合、イコライズ機能の調整対象となっているＬチャンネル又はＲチャンネルのいずれかのチャンネル、或いは、その他方のチャンネルの再生信号をミュート状態、或いは、ミュート解除状態とすべく前記ミュート手段を制御する
ことを特徴とする請求項４に記載のオーディオ装置。
【発明の詳細な説明】
【技術分野】
【０００１】
本発明は、オーディオ装置に関する。
【背景技術】
【０００２】
例えば、自動車等の車両に搭載される車載装置として、車載オーディオ装置（いわゆる、カーオディオ）が知られている。車載オーディオ装置は、ラジオ放送などを受信するアナログオーディオソースとしてのチューナや、デジタルオーディオソースとしてのＣＤプレーヤなどから出力される音を、アンプや車載スピーカなどを使って車内に流すものである（例えば特許文献１参照）。
【０００３】
また、近年では、車両に複数のスピーカを搭載し、これらのスピーカから各々異なる音を出力することで、音響効果を高めるといったことが行われている。
【特許文献１】特開平１１−２５１９３９号公報
【発明の開示】
【発明が解決しようとする課題】
【０００４】
しかしながら、上記のように、複数のスピーカから異なる音を出力する構成にあっては、ユーザが各スピーカから出力される音を個別に調整する場合に、調整対象のスピーカ以外から音が出力されていると、音の調整が正確に行えないといった問題がある。
【０００５】
本発明は、上述した事情に鑑みてなされたものであり、ユーザが音の調整を正確に行うことのできるオーディオ装置を提供することを目的とする。
【課題を解決するための手段】
【０００６】
上記目的を達成するために、本発明は、オーディオソースからのオーディオ信号を再生するオーディオ装置において、前記オーディオ信号を複数のチャンネルに分割してなる各チャンネルごとに再生信号を生成すると共に、各チャンネルの再生信号に対して音場補正を行うオーディオ信号処理手段と、前記再生信号のミュート、或いは、ミュート解除を指示するためにユーザによって操作される操作手段と、前記操作手段の操作に応じて前記再生信号のレベルを所定レベルに減衰させるミュート手段と、前記オーディオ信号処理手段により音場補正を行うモードが選択されている場合に、前記操作手段が操作されたとき、前記音場補正の調整の内容に基づいて、ミュート、或いは、ミュート解除すべきチャンネルの再生信号を特定し、当該特定された再生信号をミュート状態、或いは、ミュート解除状態とすべく前記ミュート手段を制御する制御手段とを具備することを特徴とする。
【０００７】
また本発明は、上記発明において、前記制御手段は、前記オーディオ信号処理手段において調整対象となっているチャンネルの再生信号である再生信号、或いは、当該チャンネルを除く全チャンネルの再生信号である再生信号をミュート状態、或いは、ミュート解除状態とすべく前記ミュート手段を制御することを特徴とする。
【０００８】
また本発明は、上記発明において、前記制御手段は、前記音場補正の調整の内容がクロスオーバー周波数の調整である場合、当該クロスオーバー周波数の調整対象となっている帯域に対応するチャンネル、或いは、当該帯域に対応するチャンネルを除く全チャンネルの再生信号をミュート状態、或いは、ミュート解除状態とすべく前記ミュート手段を制御することを特徴とする。
【０００９】
また本発明は、上記発明において、前記オーディオ信号処理手段は、前記再生音の周波数帯域を複数に分割してなる帯域ごとに、ステレオ再生のためのＬチャンネル及びＲチャンネルの再生信号を生成し、前記制御手段は、前記音場補正の調整の内容が、いずれかの前記帯域のチャンネルの前記Ｌチャンネル又はＲチャンネルのタイムアライメントの調整である場合、当該タイムアライメントの調整対象となっている帯域のＬチャンネル又はＲチャンネル、或いは、当該帯域のＬチャンネル又はＲチャンネルを除く全チャンネルの再生信号をミュート状態、或いは、ミュート解除状態とすべく前記ミュート手段を制御することを特徴とする。
【００１０】
また本発明は、上記発明において、前記オーディオ信号処理手段は、前記オーディオ信号に対してイコライズ処理を施す機能を有し、前記制御手段は、前記音場補正の調整の内容が、前記イコライズ機能の調整である場合、イコライズ機能の調整対象となっているＬチャンネル又はＲチャンネルのいずれかのチャンネル、或いは、その他方のチャンネルの再生信号をミュート状態、或いは、ミュート解除状態とすべく前記ミュート手段を制御することを特徴とする。
【発明の効果】
【００１１】
本発明によれば、ユーザが音の調整を正確に行うことが可能となる。
【発明を実施するための最良の形態】
【００１２】
以下、図面を参照しつつ本発明の実施の形態について説明する。本実施の形態では、オーディ装置の一態様として、車両等に搭載される車載オーディオ装置について例示する。図１は、本実施の形態に係る車載オーディオ装置１の機能的構成を示すブロック図であり、図２は、その外観を示す正面図である。
【００１３】
先ず、図２に示すように、車載オーディオ装置１の正面には、フロントパネル１ａが装着されている。そのフロントパネル１ａの上方には、ＣＤ（Compact Disc）の挿入口２４が形成され、この挿入口からＣＤを挿入可能になされている。また、フロントパネル１ａの略中央には、液晶ディスプレイや有機ＥＬ（Electro Luminescence）ディスプレイ等の表示パネル１３ａが設けられ、この表示パネル１３ａに、当該車載オーディ装置１の動作状態や、再生中のＣＤトラック番号、再生楽曲名、ラジオ等の受信チャンネルといった各種情報が表示される。
【００１４】
上記表示パネル１３ａの左側には、ボリューム（音量）を調節するための回転操作子であるボリュームスイッチ２０が配設されている。このボリュームスイッチ２０には、押下式スイッチの機能が重畳されており、ボリュームスイッチ２０が押下された場合には、再生音のミュート（MUTE）が行われるように構成されている。
【００１５】
また、上記ボリュームスイッチ２０の左下方には、押下式スイッチであるアジャストスイッチ２１が配設されると共に、ボリュームスイッチ２０の左上方には、同じく押下式スイッチである動作モードスイッチ２３が配設されている。アジャストスイッチ２１は、当該車載オーディオ装置１の各種調整を行うためのアジャスト画面を表示パネル１３ａに表示させる際に操作されるものであり、特に、本実施の形態では、再生音に関する各種の設定についても、このアジャストスイッチ２１を操作することにより行われる。
【００１６】
上記動作モードスイッチ２３は、当該車載オーディオ装置１の動作モードを切り替える際に操作されるものである。
【００１７】
上記表示パネル１３ａの右側には、第１〜第３操作キー２２ａ〜２２ｃの３つが併設された操作キー２２が配設されている。これら３つの第１〜第３操作キー２２ａ〜２２ｃは、縦長のキー形状を有するシーソー式のスイッチとなっており、本実施の形態では、第１〜第３操作キー２２ａ〜２２ｃの上部、或いは、下部を押圧することにより、それぞれのプリセット機能が実行されるように構成されている。
【００１８】
具体的には、第１操作キー２２ａの上部が押圧された場合、ＣＤ再生時あるいはＣＤオートチェンジャが外部機器として接続されているときには、スキャン（ＳＣＮ）キーとして機能し、アジャスト画面表示時には、カーソルを左方向（あるいは上位階層）に移動させるキーとして機能する。一方、第１操作キー２２ａの下部が押圧された場合、ＣＤオートチェンジャが外部機器として接続されているときには、複数のディスクを順方向に順次切り替えるキーとして機能し、アジャスト画面表示時には、カーソルを下方向（あるいは同一階層で次の項目）に移動させるキーとして機能する。
【００１９】
また、第２操作キー２２ｂの上部が押圧された場合、ＣＤ再生時あるいはＣＤオートチェンジャが外部機器として接続されているときは、リピート再生（ＲＰＴ）キーとして機能し、アジャスト画面表示時には、カーソルを右方向（あるいは下位階層）に移動させるキーとして機能する。一方、第２操作キー２２ｂの下部が押圧された場合、ＣＤオートチェンジャが外部機器として接続されている場合には、複数のディスクを逆方向に順次切り替えるキーとして機能し、アジャスト画面表示時には、カーソルを上方向（あるいは同一階層で前の項目）に移動させるキーとして機能する。
【００２０】
また、第３操作キー２２ｃの上部が押圧された場合、ＣＤ再生時あるいはＣＤオートチェンジャが外部機器として接続されているときは、ランダム再生（ＲＤＭ）キーとして機能する。一方、第３操作キー２２ｃの下部が押圧された場合、ユーザがあらかじめプリセットした機能（初期状態では、割り当て無し）が実行される。
【００２１】
また、表示パネル１３ａの左下方には、表示パネル１３ａの表示オン／表示オフをユーザが切り替えるためのディスプレイキー２５が配設されている。ここで、表示オフとは、単に表示パネル１３ａにおける表示を行わないばかりでなく、表示パネル１３ａを駆動するドライバ回路への電源供給が遮断される状態をいう。従って、例えばＣＤ再生中に表示オフとすることが可能となり、これにより、表示パネル１３ａを駆動するための電気信号がノイズとなって再生信号に混入するといったことが防止可能となる。
【００２２】
なお、当該車載オーディオ装置１のフロントパネル１ａには、上記構成要素の他にも、電源オン／オフ兼ファンクションキー、サーチアップキー、プレイ／ポーズ兼入力確定（ＥＮＴ）キー、サーチダウンキー、バンド切替（ラジオ受信時）／先頭曲移動（ＣＤ再生時）／先頭ディスク移動（ＣＤチェンジャ再生時）キーが配設されている。
【００２３】
本実施の形態の車載オーディオ装置１は、再生すべき音の周波数帯域をハイレンジ、ミドルレンジ、ロウレンジ及びサブウーファーの４つの帯域に分割し、さらに、夫々の帯域に対してステレオ再生のためにＬチャンネル及びＲチャンネルを設け、各々のチャンネルごとに再生信号を生成するように構成され、また、図１に示すように、これらの再生信号（再生アナログ信号）の各々を図示せぬスピーカに出力するためのアナログ端子出力部８を備えている。具体的には、アナログ端子出力部８には、ハイレンジＬチャンネルスピーカ用端子８−１ａと、ハイレンジＲチャンネルスピーカ用端子８−１ｂと、ミドルレンジＬチャンネルスピーカ用端子８−２ａと、ミドルレンジＲチャンネルスピーカ用端子８−２ｂと、ロウレンジＬチャンネルスピーカ用端子８−３ａと、ロウレンジＲチャンネルスピーカ用端子８−３ｂと、Ｌチャンネルサブウーファー用端子８−４ａと、Ｒチャンネルサブウーファー用端子８−４ｂとの合計８つの端子が設けられている。
【００２４】
また、図１に示すように、車載オーディオ装置１は、装置の各部を制御するコントローラ１１を備えている。コントローラ１１は、制御実行手段としてのＣＰＵや記憶手段としてのＲＯＭやＲＡＭ等を備えたマイクロコンピュータ等として構成され、ＲＯＭに予め格納されている制御プログラムをＣＰＵが実行することで各種の制御を行う。また、このコントローラ１１には、上述した操作キー２２やボリュームスイッチ２０等の各種の操作キー及び操作スイッチを備える操作部１２が接続されており、ユーザの操作部１２に対する各種の操作は、コントローラ１１に入力され、この入力に応じてコントローラ１１が処理を実行する。さらにまた、コントローラ１１には、上記表示パネル１３ａや、この表示パネル１３ａを駆動するためのドライバ回路（不図示）等を備えた表示部１３が接続されており、この表示部１３は、コントローラ１１の制御の下、当該車載オーディオ装置１の動作状態や、再生楽曲、受信ラジオチャンネル等の各種情報を表示する。
【００２５】
また、車載オーディオ装置１は、ＣＤに記録されているデジタル信号（例えば楽曲信号等）を読み取り、デジタルインターフェース３を介してＤＳＰ（Digital signal Processor）４に出力する、デジタルオーディオソースとしてのＣＤドライブ２を内蔵している。デジタルインターフェース３は、ＣＤドライブ２とシリアル信号接続されると共にＤＳＰ４とパラレル信号接続され、ＣＤドライブ２からのデジタル信号を、ステレオ再生用のＬチャンネルとＲチャンネルからなる２チャンネルのパラレル信号に変換してＤＳＰ４に出力する。
【００２６】
ＤＳＰ４は、入力されたデジタル信号から上記ハイレンジスピーカ用、ミドルレンジスピーカ用、ロウレンジスピーカ用及びサブウーファー用に、各々２チャンネル（Ｒチャンネル、Ｌチャンネル）の合計８チャンネルのデジタル信号（再生信号）を生成すると共に、これら８チャンネルの信号の各々に対して、コントローラ１１の制御の下、フィルタリング、ゲイン設定などのイコライジング処理、アライメント（ディレイ時間）等のサラウンド処理を施しといった音場補正を行い、Ｄ／Ａコンバータ（ＤＡＣ）５に出力する。
【００２７】
ここで、本実施の形態のＤＳＰ４には、ピーキングイコライザ（Peaking Equalizer）を複数備えたパラメトリックイコライザ（Parametric Equalizer）と、ハイレンジ用、ミドルレンジ用、ロウレンジ用及びサブウーファー用の４つの帯域ごとに、通過帯域の周波数（カットオフ周波数）や周波数帯域幅（クロスオーバー）、ゲインを調整するフィルタ回路とが設けられており、上記パラメトリックイコライザのパラメータや、各フィルタ回路のパラメータは、音場補正調整のためにユーザによって調整可能に構成されている。
【００２８】
さて、上記Ｄ／Ａコンバータ５は、ＤＳＰ４から出力された８チャンネル分のデジタル信号の各々を、アナログ信号に変換して電子ボリューム６に出力するものである。電子ボリューム６は、入力された８つのアナログ信号（再生信号）のゲインを、コントローラ１１の制御の下、個別に調整し、ミュート回路７を介してアナログ出力端子部８に出力するものである。
【００２９】
一方、ミュート回路７は、コントローラ１１の制御の下、８つのアナログ信号の全てをミュート（消音）状態とし、或いは、そのままの状態で出力する。なお、ミュート状態としては、消音状態に限らず、再生音の信号レベルを減衰させた状態であっても良い。
【００３０】
また、この車載オーディオ装置１は、デジタルオーディオソースの他に、アナログオーディオソースたるチューナ９を備えている。チューナ９は、ラジオ放送等の放送電波を受信してアナログ信号を出力するものであり、このアナログ信号は、セレクタ１０を介してＤＳＰ４に入力される。ＤＳＰ４は、図示せぬＡ／Ｄ変換回路を内蔵し、アナログ信号が入力された場合には、これをデジタル信号に変換し、上記のように各種の音場効果を付与した後にＤ／Ａコンバータ５に出力する。上記セレクタ１０は、コントローラ１１の指示の下、ＤＳＰ４に入力すべきアナログオーディオソースの信号を選択するものである。
【００３１】
また、車載オーディオ装置１は、外部機器１７との間でデータを送受するための端子として、外部機器接続端子１６と光入出力端子１５とを備えている。外部機器接続端子１６は、外部機器１７の接続端子であり、バス線（通信ライン）及びアナログオーディオ信号線（Ｌ、Ｒ）を有する信号ケーブルが接続される。すなわち、車載オーディオ装置１と外部機器１７とは、この外部機器接続端子１６を介して互いに通信すると共に、外部機器１７がアナログオーディオソースである場合には、この外部機器接続端子１６からアナログオーディ信号が車載オーディオ装置１に入力され、上記セレクタ１０に出力される。そしてセレクタ１０がコントローラ１１の指示の下、外部機器１７からのアナログオーディオ信号を選択しＤＳＰ４に出力することで、外部機器１７からのアナログオーディオ信号が再生されることになる。
【００３２】
一方、光入出力端子１５は、外部機器１７との間でデジタルオーディオ信号を転送するために用いられるものであり、この光入出力端子１５には、光ケーブル１８が接続される。図３に示すように、外部機器１７が、例えばＣＤオートチェンジャー等のデジタルオーディオソース（以下、単に「デジタルソース」という）である場合に、この外部機器１７から車載オーディオ装置１に再生信号たるデジタルオーディオ信号が入力される。これとは逆に、図４に示すように、外部機器１７が外部アンプ装置である場合には、車載オーディオ装置１から外部機器１７に再生信号たるデジタルオーディオ信号が出力される。外部機器１７との間でのデジタル信号の入力及び出力の切り替えは、コントローラ１１の指示に従って入出力切替部１４により行われる。これにより、１つの光入出力端子１５により、デジタル信号の入力及び出力を実施することが可能としている。
【００３３】
ところで、上記のように、本実施の形態の車載オーディオ装置１は、８チャンネル再生を可能に構成され、また、ユーザが各チャンネルの音を適宜に調整可能としている。しかしながら、ユーザがチャンネルごとに音を調整する場合に、調整対象のチャンネル以外の音が出力されていると、そのチャンネルの調整が正確に行えないといった問題がある。そこで、本実施の形態では、ユーザが所望するチャンネルのみに対してミュート（ＭＵＴＥ：消音）、或いは、ミュート解除可能になされている。
【００３４】
具体的には、本実施の形態においては、ユーザが行う再生音の調整（以下、「音場補正調整」という）を行うモードとして、次の３つの調整項目が設けられている。すなわち、第１に、上記パラメトリックイコライザのパラメータをＬチャンネル及びＲチャンネルごとに調整するパラメトリックイコライザ調整（P.EQ調整）、第２に、ハイレンジ用スピーカ、ミドルレンジ用スピーカ、ロウレンジ用スピーカ及びサブウーファー用スピーカの各々に出力する周波数帯域を調整するクロスオーバー調整（X-OVER調整）、そして、第３に、ハイレンジ用スピーカ、ミドルレンジ用スピーカ、ロウレンジ用スピーカ及びサブウーファー用スピーカの各々から出力される再生音の残響音をＬチャンネル及びＲチャンネルごとに調整するタイムアライメント調整（TIME ALIGNMENT調整）の３つである。これらの調整は、例えば操作キー２２を操作することで行われる。
【００３５】
そこで、コントローラ１１は、ユーザによって上記ボリュームスイッチ２０が押下されてミュート（或いはミュート解除）が指示された場合に、次に説明するミュートキー処理（図３参照）を実行して、音場補正調整の内容、すなわち、上記３つの調整項目のうち、どの調整をユーザが行っているか（選択しているか）を判断し、そして、後述する各種ミュート処理（図４乃至図７参照）を実行することで、ミュート（或いはミュート解除）すべきチャンネルを特定する。ここで、本実施の形態では、チャンネルごとにミュート（MUTE）フラグを設け、そのミュートフラグによりミュート状態を示すようになっている。そこで、上記ミュート処理において、コントローラ１１は、ミュートすべきチャンネルに対応するミュートフラグを立て、また、ミュート解除すべきチャンネルに対応するミュートフラグをクリアする処理を実行し、そして、後述するミュート共通処理（図８参照）により、ミュートフラグが立てられているチャンネルをミュート状態とするようになっている。以下、これらの処理について、図３乃至図８を参照して詳述する。
【００３６】
図３は、上述のミュート（ＭＵＴＥ）キー処理を示すフローチャートである。
【００３７】
この図に示すように、コントローラ１１は、ボリュームスイッチ２０が押下され、ミュート指示、或いは、ミュート解除指示がなされると、先ず、現在、ユーザによって音場補正調整中であるかを判別する（ステップＳａ１）。音場補正調整中である場合には、ユーザがチャンネルごとに音を調整すべくミュート指示、或いは、ミュート解除指示をなしたことを示すため、コントローラ１１は、どのチャンネルをミュートすべきかを判別するために、次の処理を実行する。
【００３８】
すなわち、コントローラ１１は、上記ボリュームスイッチ２０の押下操作が、上記パラメトリックイコライザ調整中（P.EQ調整中）であるか（ステップＳａ２）、クロスオーバー調整中（X-OVER調整中）であるか（ステップＳａ４）、または、タイムアライメント調整中（TIME ALIGNMENT調整中）であるか（ステップＳａ６）を判別する。
【００３９】
そして、コントローラ１１は、ボリュームスイッチ２０の押下操作が、パラメトリックイコライザ調整中（P.EQ調整中）である場合には、後述するパラメトリックイコライザミュート（P.EQ MUTE）処理を実行し（ステップＳａ３）、クロスオーバー調整中（X-OVER調整中）である場合には、後述するクロスオーバーミュート（X-OVER MUTE）処理を実行し（ステップＳａ５）、また、タイムアライメント調整中（TIME ALIGNMENT調整中）である場合には、後述するタイムアライメントミュート（TIME-A MUTE）処理を実行する（ステップＳａ７）。
【００４０】
また、ボリュームスイッチ２０の押下操作が、音場補正調整中でない場合には、全てのチャンネルの音をミュート、或いは、ミュート解除すべきことを示すため、コントローラ１１は、次に示す全体（通常）ミュート（MUTE）処理を実行する（ステップＳａ８）。
【００４１】
図４は、上記全体（通常）ミュート（MUTE）処理を示すフローチャートである。この図に示すように、コントローラ１１は、８チャンネル全てのミュート状態を変更すべく、チャンネル全体のミュートフラグを変更する（ステップＳｂ１）。詳述すると、上記ボリュームスイッチ２０が押されたとき、それがミュートを指示するものである場合には（MUTE ON）、チャンネル全体のミュート状態を示す全体ミュートフラグを立て、また、ミュート解除を指示するものである場合には（MUTE OFF）、チャンネル全体をミュート解除すべく、全体ミュートフラグをクリアする。このようにして、全体ミュートフラグを変更した後、コントローラ１１は、ミュート（MUTE）共通処理（図８参照）を実行する（ステップＳｂ２）。このミュート共通処理は、ミュートフラグ及び全体ミュートフラグの変更に応じて各チャンネルのミュート状態を変更するための処理であり、その詳細については後述することとする。
【００４２】
図５は、上記パラメトリックイコライザミュート（P.EQ MUTE）処理を示すフローチャートである。この図に示すように、パラメトリックイコライザ調整中に上記ボリュームスイッチ２０が押されたときには、コントローラ１１は、その操作がパラメトリックイコライザのＬチャンネル（P.EQ-Lch）を調整中になされた操作であるかを判別することで（ステップＳｃ１）、Ｌチャンネル全体をミュート、或いは、ミュート解除するのか、或いは、Ｒチャンネル全体をミュート、或いは、ミュート解除するのかを判断する。
【００４３】
そして、ステップＳｃ１の判別の結果、Ｌチャンネルを調整中にボリュームスイッチ２０の押下操作がなされている場合には、コントローラ１１は、Ｌチャンネル全体のミュートフラグを変更する（ステップＳｃ２）。具体的には、ボリュームスイッチ２０の押下操作がミュートを指示するものである場合には（MUTE ON）、Ｌチャンネル全体の各々のミュートフラグを立て、また、ミュート解除を指示するものである場合には、Ｌチャンネル全体の各々のミュートフラグをクリアして、後述するミュート（MUTE）共通処理を実行する（ステップＳｃ４）。ここで、Ｌチャンネル全体とは、ハイレンジ用のＬ及びＲチャンネル、ミドルレンジ用のＬ及びＲチャンネル、ロウレンジ用のＬ及びＲチャンネル、サブウーファー用のＬ及びＲチャンネルのうちの、４つのＬチャンネルを指す。
【００４４】
また、ステップＳｃ１の判別の結果、Ｒチャンネルを調整中にボリュームスイッチ２０の押下操作がなされている場合には、コントローラ１１は、Ｌチャンネルのときと同様にして、Ｒチャンネル全体のミュートフラグを変更し（ステップＳｃ３）、後述するミュート（MUTE）共通処理を実行する（ステップＳｃ４）。
【００４５】
以上の処理により、ユーザがパラメトリックイコライザ調整中にボリュームスイッチ２０を押下操作した場合に、現在調整しているＬまたはＲチャンネル全体のミュート或いはミュート解除が行われることとなる。すなわち、ユーザが音場補正調整としてパラメトリックイコライザ調整を行っている場合に、ＬチャンネルまたはＲチャンネルのいずれかのチャンネル全体の再生音をミュート（或いはミュート解除）する場合には、ミュートしたいチャンネルを選択して調整中とし、ミュート（或いはミュート解除）すべくボリュームスイッチ２０を押下操作する。
【００４６】
次いで、図６は、上記クロスオーバーミュート（X-OVER MUTE）処理を示すフローチャートである。この図に示すように、クロスオーバー調整中に上記ボリュームスイッチ２０が押されたときには、コントローラ１１は、その押下操作がハイレンジ、ミドルレンジ、ロウレンジ及びサブウーファーのうちの、どのレンジ（周波数帯域）の調整中になされた操作であるかを判別することで（ステップＳｅ１）、どのレンジ（周波数帯域）のチャンネルをミュート、或いは、ミュート解除するのかを判断し、そのレンジ（周波数帯域）のチャンネル（Ｌ及びＲチャンネル）のミュートフラグを変更する（ステップＳｅ２〜Ｓｅ５）。
【００４７】
例えば、調整中のレンジ（周波数帯域）がハイレンジ（HIGH）の場合には、コントローラ１１は、押下操作がミュートを指示するものであれば、ハイレンジのＬチャンネル（HIGH-Lch）及びＲチャンネル（HIGH-Rch）の２つのチャンネルのミュートフラグを立て、また、押下操作がミュート解除を指示するものであれば、ハイレンジのＬチャンネル（HIGH-Lch）及びＲチャンネル（HIGH-Rch）の２つのチャンネルのミュート（MUTE）フラグをクリアする（ステップＳｅ２）。また、調整中のレンジがミドルレンジ（MID）、ロウレンジ（LOW）及びサブウーファー（SW）の場合も、ハイレンジの場合と同様に、コントローラ１１は、そのレンジのＬ及びＲチャンネルのミュートフラグを変更する。このようにして、ミュートフラグを変更した後、コントローラ１１は、後述するミュート（MUTE）共通処理を実行する（ステップＳｅ６）。
【００４８】
以上の処理により、ユーザがクロスオーバー調整中にボリュームスイッチ２０を押下操作した場合に、現在調整しているレンジ（周波数帯域）のＬ及びＲチャンネルのミュート或いはミュート解除が行われることとなる。すなわち、ユーザが音場補正調整としてクロスオーバー調整を行っている場合に、特定のレンジのＬチャンネル及びＲチャンネルの再生音をミュート（或いはミュート解除）する場合には、そのチャンネルを選択して調整中とし、ミュート（或いはミュート解除）すべくボリュームスイッチ２０を押下操作する。
【００４９】
次いで、図７は、上記タイムアライメントミュート（TIME-A MUTE）処理を示すフローチャートである。この図に示すように、タイムアライメント調整中に上記ボリュームスイッチ２０が押されたときには、コントローラ１１は、その押下操作が、ハイレンジのＬチャンネル（HIGH-Lch）、ハイレンジのＲチャンネル（HIGH-Rch）、ミドルレンジのＬチャンネル（MID-Lch）、ミドルレンジのＲチャンネル（MID-Rch）、ロウレンジのＬチャンネル（ROW-Lch）、ロウレンジのＲチャンネル（ROW-Rch）、サブウーファーのＬチャンネル（SW-Lch）及びサブウーファーのＲチャンネル（SW-Rch）のいずれのチャンネルを調整中になされた操作であるかを判別することで（ステップＳｄ１）、どのチャンネルをミュート、或いは、ミュート解除するのかを判断し、そのチャンネルのミュートフラグを変更する（ステップＳｄ２〜Ｓｄ９）。
【００５０】
例えば、調整中のチャンネルがハイレンジのＬチャンネル（HIGH-Lch）の場合には、コントローラ１１は、押下操作がミュートを指示するものであれば、ハイレンジのＬチャンネル（HIGH-Lch）のミュートフラグを立て、また、押下操作がミュート解除を指示するものであれば、ハイレンジのＬチャンネル（HIGH-Lch）のミュートフラグをクリアする（ステップＳｄ２）。また、調整中のレンジが他のチャンネルの場合も、ハイレンジのＬチャンネルの場合と同様に、コントローラ１１は、そのチャンネルのミュートフラグを変更する。このようにして、ミュートフラグを変更した後、コントローラ１１は、後述するミュート（MUTE）共通処理を実行する（ステップＳｄ１０）。
【００５１】
以上の処理により、ユーザがタイムアライメント調整中にボリュームスイッチ２０を押下操作した場合に、現在調整しているチャンネルのミュート或いはミュート解除が行われることとなる。すなわち、ユーザが音場補正調整としてタイムアライメント調整を行っている場合に、８チャンネルのうちの特定のチャンネルの再生音をミュート（或いはミュート解除）する場合には、そのチャンネルを選択して調整中とし、ミュート（或いはミュート解除）すべくボリュームスイッチ２０を押下操作する。
【００５２】
次いで、図８は、上記ミュート（MUTE）共通処理を示すフローチャートである。このミュート共通処理にあっては、ミュートフラグに応じて各チャンネルのミュートが行われる。すなわち、コントローラ１１は、ハイレンジスＬチャンネル（HIGH-Lch）、ハイレンジＲチャンネル（HIGH-Rch）、ミドルレンジスＬチャンネル（MID-Lch）、ミドルレンジＲチャンネル（MID-Rch）、ロウレンジＬチャンネル（LOW-Lch）、ロウレンジＲチャンネル（LOW-Rch）、Ｌチャンネルサブウーファー（SW-Lch）、Ｒチャンネルサブウーファー（SW-Rch）の各チャンネルのミュートフラグが立っているか（すなわち、ミュートフラグ＝「１」）否かを順に判別すると共に、ミュートフラグが立っている場合には、そのチャンネルをミュートすべく、上記電子ボリューム（E-VOL）６に対して該当チャンネルのゲインを「−∞」にするように指示するボリューム（VOLUME）データを生成する（ステップＳｆ１〜Ｓｆ１６）。
【００５３】
次いで、コントローラ１１は、全体ミュートフラグが立っているか（すなわち、全体ミュートフラグ＝「１」）を判別し（ステップＳｆ１７）、全体ミュートフラグが立っている場合には（ステップＳｆ１７：ＹＥＳ）、チャンネル全体をミュートすべく、上記電子ボリューム（E-VOL）６に対して全チャンネルのゲインを、例えば「−∞」にするように指示するボリューム（VOLUME）データを生成する（ステップＳｆ１８）。
【００５４】
そして、コントローラ１１は、生成した上記ボリュームデータを電子ボリューム６に転送する処理を実行し（ステップＳｆ１９）、これにより、チャンネルごと、或いは、チャンネル全体のミュート又はミュート解除が行われる。
【００５５】
以上説明したように、本実施の形態によれば、コントローラ１１は、音場補正調整が行われている場合に、ボリュームスイッチ２０が押下操作されたとき、音場補正調整の内容に基づいてミュート、或いは、ミュート解除すべき帯域のチャンネルを特定し、当該チャンネルの再生信号をミュート、或いは、ミュート解除すべく電子ボリューム６を制御する構成としたため、ユーザが所望する帯域のチャンネルの再生音を、個別に消音、或いは、消音解除することができ、これにより、ユーザは、チャンネルごとの音の調整を正確に行うことが可能となる。
【００５６】
なお、上述した実施の形態は、あくまでも本発明の一態様を示すものであり、本発明の範囲内で任意に変形可能である。
【００５７】
例えば、上述した実施の形態では、音場補正調整中にボリュームスイッチ２０が押下操作された場合には、現在選択されているチャンネルの再生信号をミュート或いはミュート解除する構成としたが、これに限らず、現在選択されているチャンネルを除く他の全てのチャンネルの再生信号をミュート或いはミュート解除する構成としても良い。
【００５８】
また、例えば、音場補正調整中にボリュームスイッチ２０が短押し操作された場合には、現在選択されているチャンネルの再生信号をミュート或いはミュート解除する構成とし、また、ボリュームスイッチ２０が長押し操作された場合には現在選択されているチャンネルを除く他の全てのチャンネルの再生信号をミュート或いはミュート解除する構成としても良い。
【００５９】
また、上述した実施の形態では、オーディオ装置の一態様として車両等に搭載される車載オーディオ装置を例示したが、これに限らず、室内に据え置かれるオーディオ装置としても良い。
【図面の簡単な説明】
【００６０】
【図１】本実施の形態に係る車載オーディオ装置の機能的構成を示すブロック図である。
【図２】車載オーディオ装置の正面図である。
【図３】ボリュームスイッチが押下操作された場合に実行されるミュート（MUTE）キー処理を示すフローチャートである。
【図４】全体（通常）ミュート（MUTE）処理を示すフローチャートである。
【図５】パラメトリックイコライザミュート（P.EQ MUTE）処理を示すフローチャートである。
【図６】クロスオーバーミュート（X-OVER MUTE）処理を示すフローチャートである。
【図７】タイムアライメントミュート（TIME-A MUTE）処理を示すフローチャートである。
【図８】ミュート（MUTE）共通処理を示すフローチャートである。
【符号の説明】
【００６１】
１  車載オーディオ装置
２  ＣＤドライブ
４  ＤＳＰ（オーディオ信号処理手段）
６  電子ボリューム（ミュート手段）
７  ミュート回路
１１  コントローラ（制御手段）
１３  表示部
２０  ボリュームスイッチ（第１操作子）
２２  操作キー（第２操作子）
【図１】
2005192016.tif 000003
【図２】
2005192016.tif 000004
【図３】
2005192016.tif 000005
【図４】
2005192016.tif 000006
【図５】
2005192016.tif 000007
【図６】
2005192016.tif 000008
【図７】
2005192016.tif 000009
【図８】
2005192016.tif 000010